(57)【要約】  電子装置上のタッチの圧力強度にユーザインターフェースを実現する電子装置及びその方法が開示される。本電子装置は、ユーザ命令が入力された位置を検出して当該位置に表示された客体の種類を確認し、ユーザがタッチスクリーンを操作する圧力強度に応じて表示されるユーザインターフェースの展開方法を変更する。ユーザはタッチスクリーンを操作する方法によって、電子装置を簡単に操作できるようになる。
2011530101.tif 000002
【特許請求の範囲】
【請求項１】
ユーザ入力を受信して客体をディスプレイするタッチスクリーンを含む表示部と、
前記ディスプレイされた客体に対する接近又はタッチの有無を検知する検知部と、
前記検知部によって検知されることにより、前記ディスプレイされた客体の接近又はタッチの有無に応じて、前記ディスプレイされた客体に関連したデータが表示されるように前記表示部を制御する制御部と、
を含むことを特徴とする電子装置。
【請求項２】
前記検知部は、
前記タッチスクリーン上の接近又はタッチの位置を検出する位置検出部と、
前記タッチスクリーン上の接近又はタッチの圧力強度を検出する圧力検出部と、
を含むことを特徴とする請求項１に記載の電子装置。
【請求項３】
前記制御部は、
前記位置検出部から前記位置に対応する位置データが受信され、前記圧力検出部から第１予め設定された値以下の圧力強度が受信されると、前記位置で接近がなされたと認識することを特徴とする請求項２に記載の電子装置。
【請求項４】
前記制御部は、
前記位置検出部から前記位置に対応する位置データが受信され、前記圧力検出部から第１予め設定された値以上の圧力強度が受信されると、前記位置でタッチが行われたと認識することを特徴とする請求項２に記載の電子装置。
【請求項５】
前記制御部は、
前記位置検出部から前記位置に対応する位置データが受信され、前記圧力検出部から第１予め設定された値より大きく、第２予め設定された値以上の圧力強度が受信されると、前記位置で圧力がなされたと認識することを特徴とする請求項４に記載の電子装置。
【請求項６】
前記制御部は、
前記位置検出部から受信され、前記タッチスクリーン上の接近又はタッチ位置の位置データが前記ディスプレイされた位置に対応すると、前記ディスプレイされた客体の種類を判断した後、前記圧力検出部によって検出される前記圧力強度及び前記ディスプレイされた客体の判断された種類に応じて、前記ディスプレイされた客体に関連したデータが表示されるように前記表示部を制御することを特徴とする請求項２に記載の電子装置。
【請求項７】
前記制御部は、
前記ディスプレイされた客体の種類がメニューであり、圧力強度が前記圧力検出部から受信された第１予め設定された値以下の圧力強度と判断されると、前記メニューの下位メニューが表示されるように前記表示部を制御することを特徴とする請求項６に記載の電子装置。
【請求項８】
前記制御部は、
前記ディスプレイされた客体の種類がメニューであり、圧力強度が前記圧力検出部から受信された第１予め設定された値以上の圧力強度と判断されると、前記メニューを選択することを特徴とする請求項６に記載の電子装置。
【請求項９】
前記制御部は、
前記ディスプレイされた客体の種類がメニューであり、圧力強度が前記圧力検出部から受信された前記第１予め設定された値以上であり、第２予め設定された値以上の圧力強度と判断されると、前記メニューのダイレクトメニューを表示することを特徴とする請求項８に記載の電子装置。
【請求項１０】
前記制御部は、
前記ディスプレイされた客体の種類がコンテンツであり、圧力強度が前記圧力検出部から受信された第１予め設定された値以下の圧力強度と判断されると、前記コンテンツの要約画面が表示されるように前記表示部を制御することを特徴とする請求項６に記載の電子装置。
【請求項１１】
前記制御部は、
前記ディスプレイされた客体の種類がコンテンツであり、圧力強度が前記圧力検出部から受信された第１予め設定された値以上の圧力強度と判断されると、前記コンテンツを再生させることを特徴とする請求項６に記載の電子装置。
【請求項１２】
前記制御部は、
前記ディスプレイされた客体の種類がコンテンツのタイトルであり、圧力強度が前記圧力検出部から受信された前記第１予め設定された値以上であり、第２予め設定された値以上の圧力強度と判断されると、前記コンテンツの制御メニューを表示することを特徴とする請求項１１に記載の電子装置。
【請求項１３】
前記制御部は、
前記コンテンツが前記位置で再生され、前記圧力強度が前記圧力検出部から受信された前記第２予め設定された値以上であると判断されると、前記コンテンツの再生に関する制御メニューを表示することを特徴とする請求項１２に記載の電子装置。
【請求項１４】
前記制御部は、
前記ディスプレイされた客体の種類がアイコンであり、圧力強度が前記圧力検出部から受信された第１予め設定された値以下であると判断されると、前記アイコンに関する詳細情報を表示するように前記表示部を制御し、前記アイコンを拡大表示するように前記表示部を制御することを特徴とする請求項６に記載の電子装置。
【請求項１５】
前記制御部は、
前記ディスプレイされた客体の種類がアイコンであり、圧力強度が前記圧力検出部から受信された第１予め設定された値以上であると判断されると、前記アイコンに関する動作が行なわれるようにすることを特徴とする請求項６に記載の電子装置。
【請求項１６】
前記制御部は、
前記ディスプレイされた客体の種類がアイコンであり、圧力強度が前記圧力検出部から受信された前記第１予め設定された値以上であり、第２予め設定された値以上であると判断されると、
前記アイコンに関する制御メニューを表示するように前記表示部を制御することを特徴とする請求項１５に記載の電子装置。
【請求項１７】
前記制御部は、
前記ディスプレイされた客体の種類が文字であり、圧力強度が前記圧力検出部から受信された第１予め設定された値以下であると判断されると、前記文字を拡大するように前記表示部を制御することを特徴とする請求項６に記載の電子装置。
【請求項１８】
前記制御部は、
前記ディスプレイされた客体の種類が文字であり、予め設定された基準時間以上中断することなく、前記圧力強度が前記圧力検出部から受信された前記第１予め設定された値以下であると判断されると、前記文字に関連した一つ以上の予め設定された用語を表示するように前記表示部を制御することを特徴とする請求項１７に記載の電子装置。
【請求項１９】
前記制御部は、
前記ディスプレイされた客体の種類が文字であり、圧力強度が前記圧力検出部から受信された第１予め設定された値以上であると判断されると、入力ウィンドウ上に前記文字をディスプレイするように前記表示部を制御することを特徴とする請求項６に記載の電子装置。
【請求項２０】
前記制御部は、
前記ディスプレイされた客体の種類が文字であり、圧力強度が前記圧力検出部から受信された前記第１予め設定された値以上であり、第２予め設定された値以上あると判断されると、前記入力ウィンドウ上に前記文字に関連した第１予め設定された用語を表示するように前記表示部を制御することを特徴とする請求項１９に記載の電子装置。
【請求項２１】
前記制御部は、
前記ディスプレイされた客体の種類が前記文字であり、予め設定された基準時間以上中断することなく、前記圧力強度が前記圧力検出部から受信された前記第２予め設定された値以上であると判断されると、前記入力ウィンドウから前記第１予め設定された用語を除去し、前記入力ウィンドウ上に前記第１予め設定された用語と異なる文字に関連した第２予め設定された用語を表示するように前記表示部を制御することを特徴とする請求項２０に記載の電子装置。
【請求項２２】
前記制御部は、前記検知部によって検知されることにより、前記ディスプレイされた客体の接近又はタッチの有無及び前記ディスプレイされた客体の種類に応じて、前記ディスプレイされた客体に関連した前記データを表示するように前記表示部を制御することを特徴とする請求項１に記載の電子装置。
【請求項２３】
前記制御部は、前記検知部によって検知されることにより、前記ディスプレイされた客体の接近又はタッチの有無及び中断することなく前記ディスプレイされた客体の接近又はタッチ時間の長さに応じて、前記ディスプレイされた客体に関連した前記データをディスプレイするように前記表示部を制御することを特徴とする請求項１に記載の電子装置。
【請求項２４】
表示部にディスプレイされた客体に対する接近又はタッチの有無を検知する検知部を含む電子装置のユーザインターフェースの実現方法において、
前記検知部による検知出力結果に応じて、前記ディスプレイされた客体の接近又はタッチの有無を判断するステップと、
前記ディスプレイされた客体が接近又はタッチであると判断される否かに応じて、前記ディスプレイされた客体に関連したデータをディスプレイするように前記表示部を制御するステップと、
を含むことを特徴とするユーザインターフェースの実現方法。
【請求項２５】
前記表示部上の接近又はタッチの位置を検出するステップと、
前記表示部上の前記接近又は前記タッチの圧力強度を検出するステップと、
を更に含むことを特徴とする請求項２４に記載のユーザインターフェースの実現方法。
【請求項２６】
前記ディスプレイされた客体の接近又はタッチの有無を決定するステップは、
前記表示部上の接近又はタッチの検出された位置の位置データが前記ディスプレイされた客体の位置に対応し、前記圧力強度が第１予め設定された値以下であると判断されると、前記ディスプレイされた客体に接近されたと判断するステップを含むことを特徴とする請求項２５に記載のユーザインターフェースの実現方法。
【請求項２７】
前記ディスプレイされた客体の接近又はタッチの有無を決定するステップは、
前記表示部上の接近又はタッチの検出された位置の位置データが前記ディスプレイされた客体の位置に対応し、前記圧力強度が第１予め設定された値以上であると判断されると、前記ディスプレイされた客体がタッチされたと判断するステップを含むことを特徴とする請求項２５に記載のユーザインターフェースの実現方法。
【請求項２８】
前記ディスプレイされた客体の接近又はタッチの有無を決定するステップは、
前記表示部上の接近又はタッチの検出された位置の位置データが前記ディスプレイされた客体の位置に対応し、前記圧力強度が第１予め設定された値以上であり、第２予め設定された値以上であると判断されると、前記ディスプレイされた客体が押された（ｐｒｅｓｓｅｄ）と判断するステップを更に含むことを特徴とする請求項２７に記載のユーザインターフェースの実現方法。
【請求項２９】
前記ディスプレイされた客体の接近又はタッチの有無を決定するステップは、
前記表示部上の接近又はタッチの検出された位置の位置データが前記ディスプレイされた客体の位置に対応すると、前記ディスプレイされた客体の種類を決定するステップを含み、
前記表示部を制御するステップは、
前記ディスプレイされた客体の決定された種類及び前記検出された圧力強度に応じて、前記客体に関連したデータをディスプレイする表示部を制御するステップを含むことを特徴とする請求項２５に記載のユーザインターフェースの実現方法。
【請求項３０】
前記検出された圧力強度及び前記ディスプレイされた客体の前記決定された種類に応じて、前記表示部を制御するステップは、
前記ディスプレイされた客体の前記決定された種類がメニューであり、前記検出された圧力強度が第１予め設定された値以下であれば、前記メニューの下位メニューをディスプレイするように前記表示部を制御するステップを含むことを特徴とする請求項２９に記載のユーザインターフェースの実現方法。
【請求項３１】
前記検出された圧力強度及び前記ディスプレイされた客体の前記決定された種類に応じて、前記表示部を制御するステップは、
前記ディスプレイされた客体の前記決定された種類がメニューであり、前記検出された圧力強度が第１予め設定された値以上であれば、前記メニューを選択するステップを含むことを特徴とする請求項２９に記載のユーザインターフェースの実現方法。
【請求項３２】
前記検出された圧力強度及び前記ディスプレイされた客体の前記決定された種類に応じて、前記表示部を制御するステップは、
前記ディスプレイされた客体の前記決定された種類が前記メニューであり、前記検出された圧力強度が前記第１予め設定された値以上であり、第２予め設定された値以上であれば、前記メニューのダイレクトメニューを表示するように前記表示部を制御するステップを更に含むことを特徴とする請求項３１に記載のユーザインターフェースの実現方法。
【請求項３３】
前記検出された圧力強度及び前記ディスプレイされた客体の前記決定された種類に応じて、前記表示部を制御するステップは、
前記ディスプレイされた客体の前記決定された種類がコンテンツであり、前記検出された圧力強度が第１予め設定された値以下であれば、前記コンテンツの要約画面を表示するように前記表示部を制御するステップを含むことを特徴とする請求項２９に記載のユーザインターフェースの実現方法。
【請求項３４】
前記検出された圧力強度及び前記ディスプレイされた客体の前記決定された種類に応じて、前記表示部を制御するステップは、
前記ディスプレイされた客体の前記決定された種類がコンテンツであり、前記検出された圧力強度が第１予め設定された値以上であれば、前記コンテンツを再生するステップを含むことを特徴とする請求項２９に記載のユーザインターフェースの実現方法。
【請求項３５】
前記検出された圧力強度及び前記ディスプレイされた客体の前記決定された種類に応じて、前記表示部を制御するステップは、
前記ディスプレイされた客体の前記決定された種類が前記コンテンツのタイトルであり、前記検出された圧力強度が第１予め設定された値以上であり、第２予め設定された値以上であれば、前記コンテンツの制御メニューを表示するように前記表示部を制御するステップを更に含むことを特徴とする請求項３４に記載のユーザインターフェースの実現方法。
【請求項３６】
前記検出された圧力強度及び前記ディスプレイされた客体の前記決定された種類に応じて、前記表示部を制御するステップは、
前記ディスプレイされた客体の前記決定された種類が前記コンテンツであり、前記コンテンツが再生され、前記検出された圧力強度が第２予め設定された値以上であれば、前記コンテンツの再生に関連した制御メニューを表示するように前記表示部を制御するステップを更に含むことを特徴とする請求項３５に記載のユーザインターフェースの実現方法。
【請求項３７】
前記検出された圧力強度及び前記ディスプレイされた客体の前記決定された種類に応じて、前記表示部を制御するステップは、
前記ディスプレイされた客体の前記決定された種類がアイコンであり、前記検出さた圧力強度が第１予め設定された値以下であれば、前記アイコンに関連した詳細情報を表示するように前記表示部を制御するステップ及び／又は前記アイコンを拡大するように前記表示部を制御するステップを含むことを特徴とする請求項２９に記載のユーザインターフェースの実現方法。
【請求項３８】
前記検出された圧力強度及び前記ディスプレイされた客体の前記決定された種類に応じて、前記表示部を制御するステップは、
前記ディスプレイされた客体の前記決定された種類がアイコンであり、前記検出さた圧力強度が第１予め設定された値以上であれば、前記アイコンに対応する動作を実行させるステップを含むことを特徴とする請求項２９に記載のユーザインターフェースの実現方法。
【請求項３９】
前記検出された圧力強度及び前記ディスプレイされた客体の前記決定された種類に応じて、前記表示部を制御するステップは、
前記ディスプレイされた客体の前記決定された種類が前記アイコンであり、前記検出さた圧力強度が前記第１予め設定された値以上であり、第２予め設定された値以上であれば、前記アイコンに関する制御メニューを表示するように前記表示部を制御するステップを更に含むことを特徴とする請求項３８に記載のユーザインターフェースの実現方法。
【請求項４０】
前記検出された圧力強度及び前記ディスプレイされた客体の前記決定された種類に応じて、前記表示部を制御するステップは、
前記ディスプレイされた客体の前記決定された種類が文字であり、前記検出された圧力強度が第１予め設定された値以下であれば、前記文字を拡大させるように前記表示部を制御するステップを含むことを特徴とする請求項２９に記載のユーザインターフェースの実現方法。
【請求項４１】
前記検出された圧力強度及び前記ディスプレイされた客体の前記決定された種類に応じて、前記表示部を制御するステップは、
前記ディスプレイされた客体の前記決定された種類が前記文字であり、前記検出された圧力強度が中断することなく、予め設定された期間の時間以上で、前記第１予め設定された値以下で出力されると、前記文字に関連した一つ以上の用語を表示するように前記表示部を制御するステップを更に含むことを特徴とする請求項４０に記載のユーザインターフェースの実現方法。
【請求項４２】
前記検出された圧力強度及び前記ディスプレイされた客体の前記決定された種類に応じて、前記表示部を制御するステップは、
前記ディスプレイされた客体の前記決定された種類が文字であり、前記検出された圧力強度が第１予め設定された値以上であれば、入力ウィンドウ上に前記文字を表示するように前記表示部を制御するステップを含むことを特徴とする請求項２９に記載のユーザインターフェースの実現方法。
【請求項４３】
前記検出された圧力強度及び前記ディスプレイされた客体の前記決定された種類に応じて、前記表示部を制御するステップは、
前記ディスプレイされた客体の前記決定された種類が前記文字であり、前記検出された圧力強度が前記第１予め設定された値以上であり、第２予め設定された値以上であれば、前記入力ウィンドウ上に前記文字に関連した第１予め設定された用語を表示するように前記表示部を制御するステップを更に含むことを特徴とする請求項４２に記載のユーザインターフェースの実現方法。
【請求項４４】
前記検出された圧力強度及び前記ディスプレイされた客体の前記決定された種類に応じて、前記表示部を制御するステップは、
前記ディスプレイされた客体の前記決定された種類が前記文字であり、前記検出された圧力強度が前記第１予め設定された値以上であり、第２予め設定された値以上であれば、前記圧力強度に応じてマッピングされ、前記文字に関連した予め設定された複数の用語のうち一つの予め設定された用語を表示するように前記表示部を制御するステップを更に含むことを特徴とする請求項４２に記載のユーザインターフェースの実現方法。
【請求項４５】
前記検出された圧力強度及び前記ディスプレイされた客体の前記決定された種類に応じて、前記表示部を制御するステップは、
前記ディスプレイされた客体の前記決定された種類が前記文字であり、前記検出された圧力強度が中断することなく、予め設定された期間の時間以上で、前記第２予め設定された値以上で出力されると、前記入力ウィンドウ上に前記第１予め設定された用語と異なる前記文字に関連した第２予め設定された用語を表示するように前記表示部を制御するステップを更に含むことを特徴とする請求項４３に記載のユーザインターフェースの実現方法。
【請求項４６】
前記表示部を制御するステップは、
前記ディスプレイされた客体の種類及び前記ディスプレイされた客体が接近又はタッチと判断されるか否かに応じて、前記客体に関連した前記データをディスプレイする表示部を制御するステップを含むことを特徴とする請求項２４に記載のユーザインターフェースの実現方法。
【請求項４７】
前記表示部を制御するステップは、
前記ディスプレイされた客体が中断することなく、接近又はタッチ時間の長さ及び前記ディスプレイされた客体が接近又はタッチと判断されるか否かに応じて、前記客体に関連した前記データをディスプレイする表示部を制御するステップを含むことを特徴とする請求項２４に記載のユーザインターフェースの実現方法。
【請求項４８】
前記請求項２４の方法でエンコーディングされ、少なくとも一つのコンピュータによって実行されるコンピュータ記録媒体。
【請求項４９】
客体をディスプレイするようにする表示部を含む電子装置のユーザインターフェースの実現方法において、
前記ディスプレイされた客体上にタッチの圧力強度に応じて、前記ディスプレイされた客体と関連したデータを表示するように前記表示部を制御するステップを含むことを特徴とするユーザインターフェースの実現方法。
【請求項５０】
前記請求項４９の方法でエンコーディングされ、少なくとも一つのコンピュータによって実行されるコンピュータ記録媒体。
【発明の詳細な説明】
【技術分野】
【０００１】
本発明は、ユーザインターフェースを実現する電子装置及びその方法に関し、より詳細には、タッチスクリーンでユーザインターフェースを実現する電子装置及びその方法に関する。
【背景技術】
【０００２】
電子装置は、様々な形態のユーザインターフェースを実現し、ユーザはこのようなユーザインターフェースを介して電子装置の動作を制御し、電子装置の各種機能を用いる。最近は、電子装置の機能は多様化し、サイズが小さくなり電子装置の機能を操作するための操作キーやマウスがタッチスクリーンにユーザインターフェースとして実現されている。特に、モバイル電子装置の場合、タッチスクリーンに実現されるユーザインターフェースの重要性が一層増しており、タッチスクリーンに関連した技術の発達により、多様な種類のユーザインターフェースが開発されている。
【発明の概要】
【発明が解決しようとする課題】
【０００３】
本発明の目的は、電子装置の効率的な操作のために、ユーザ命令が入力されたタッチスクリーン上の位置に表示された客体の種類及びユーザがタッチスクリーンを操作する圧力強度に応じてユーザインターフェースの展開方式を変更する電子装置及びその方法を提供することにある。
【課題を解決するための手段】
【０００４】
前記目的を達成するための本発明の多様な実施形態に係る電子装置は、表示部、前記表示部に表示された客体に対する接近及びタッチの有無を検知する検知部、及び前記検知部の検知結果及び前記接近がなされる位置に表示された客体の種類に応じて、関連したデータが表示されるように前記表示部を制御する制御部を含む。
【０００５】
前記検知部は位置検出部、及び圧力強度を検出する圧力検出部を含む。
前記制御部は、前記位置検出部から前記位置に対応する位置データが受信され、前記圧力検出部から予め設定された最小値以下の圧力強度が受信されると、前記位置で接近がなされたと認識することを特徴とする。
【０００６】
なお、前記制御部は、前記位置検出部から前記位置に対応する位置データが受信され、前記圧力検出部から予め設定された最小値より大きい圧力強度が受信されると、前記位置でタッチが行われたと認識することを特徴とする。
【０００７】
或いは、前記制御部は、前記位置検出部から前記位置に対応する位置データが受信され、前記圧力検出部から前記最小値より大きい基準値より大きい圧力強度が受信されると、前記位置で圧力がなされたと認識することを特徴とする。
【０００８】
即ち、前記制御部は、前記位置検出部から前記位置に対応する位置データが受信されると、前記位置データを参照して当該位置に表示された客体の種類を判断した後、前記圧力検出部から受信される前記圧力強度を参照し、前記圧力強度に応じて前記関連したデータが表示されるように前記表示部を制御することを特徴とする。
【０００９】
前記制御部は、前記接近がなされる位置にメニューが表示されたと判断され、前記検知結果で予め設定された最小値以下の圧力強度が出力される場合、前記メニューの下位メニューが表示されるように制御する。
【００１０】
前記制御部は、前記接近がなされる位置にメニューが表示されたと判断され、前記検知結果で予め設定された最小値より大きい圧力強度が出力される場合、前記メニューが選択されるように制御する。
【００１１】
前記制御部は、前記接近がなされる位置にメニューが表示されたと判断され、前記検知結果で前記最小値より大きい基準値より大きい圧力強度が出力される場合、前記メニューのダイレクトメニューが選択されるように制御する。
【００１２】
前記制御部は、前記接近がなされる位置にコンテンツが表示されたと判断され、前記検知結果で予め設定された最小値以下の圧力強度が出力される場合、前記コンテンツに対する要約画面が表示されるように制御する。
【００１３】
前記制御部は、前記接近がなされる位置にコンテンツが表示されたと判断され、前記検知結果で予め設定された最小値より大きい圧力強度が出力される場合、前記コンテンツが再生されるように制御する。
【００１４】
前記制御部は、前記接近がなされる位置にコンテンツのタイトルが表示されたと判断され、前記検知結果で前記最小値より大きい基準値より大きい圧力強度が出力される場合、前記コンテンツに対する制御メニューが表示されるように制御する。
【００１５】
前記制御部は、前記接近がなされる位置に前記コンテンツが再生中であると判断され、前記検知結果で前記最小値より大きい基準値より大きい圧力強度が出力される場合、前記コンテンツ再生に対する制御メニューが表示されるように制御する。
【００１６】
前記制御部は、前記接近がなされる位置にアイコンが表示されたと判断され、前記検知結果で予め設定された最小値以下の圧力強度が出力される場合、前記アイコンに対する細部情報が表示されるように制御すること及び前記アイコンが拡大されて表示されるように制御することのうち少なくとも一つを行うことを特徴とする。
【００１７】
前記制御部は、前記接近がなされる位置にアイコンが表示されたと判断され、前記検知結果で予め設定された最小値より大きい圧力強度が出力される場合、前記アイコンに関連した動作が実行されるように制御する。
【００１８】
前記制御部は、前記接近がなされる位置にアイコンが表示されたと判断され、前記検知結果で前記最小値より大きい基準値より大きい圧力強度が出力される場合、前記アイコンに対する制御メニューが表示されるように制御する。
【００１９】
前記制御部は、前記接近がなされる位置にテキストが表示されたと判断され、前記検知結果で予め設定された最小値以下の圧力強度が出力される場合、前記テキストが拡大表示されるように制御する。
【００２０】
前記制御部は、前記接近がなされる位置にテキストが表示されたと判断され、前記検知結果で前記最小値以下の圧力強度が予め設定された基準時間以上出力される場合、前記テキストに関連した推薦単語が表示されるように制御する。
【００２１】
前記制御部は、前記接近がなされる位置にテキストが表示されたと判断され、前記検知結果で前記最小値より大きい圧力強度が出力される場合、前記テキストが入力ウィンドウに表示されるように制御する。
【００２２】
前記制御部は、前記接近がなされる位置にテキストが表示されたと判断され、前記検知結果で前記最小値より大きい基準値より大きい圧力強度が出力される場合、前記テキストに関連した推薦単語のうち、何れか一つが前記入力ウィンドウに表示されるように制御する。
【００２３】
一方、表示部に表示された客体に対する接近及びタッチの有無を検知する検知部を含む電子装置のユーザインターフェースの実現方法は、前記検知部の検知結果を受信されるステップ、前記検知結果に基づいて前記接近がなされる位置に表示された客体の種類を判断するステップ、及び前記客体の種類に応じて、関連したデータが表示されるように制御するステップを含む。
【００２４】
前記検知結果を受信されるステップの前に、位置を検出するステップ、及び圧力強度を検出するステップを更に含む。
前記客体の種類を判断するステップは、前記位置に対応する位置データが受信され、予め設定された最小値以下の圧力強度が受信されると、前記位置で接近がなされたと認識するステップを含む。
【００２５】
前記客体の種類を判断するステップは、前記位置に対応する位置データが受信され、予め設定された最小値より大きい圧力強度が受信されると、前記位置でタッチが行われたと認識するステップを含む。
【００２６】
前記客体の種類を判断するステップは、前記位置に対応する位置データが受信され、前記最小値より大きい基準値より大きい圧力強度が受信されると、前記位置で圧力がなされたと認識するステップを含む。
【００２７】
前記客体の種類を判断するステップは、前記位置に対応する位置データが受信されると、前記位置データを参照して当該位置に表示された客体の種類を判断するステップであり、前記制御するステップは、前記圧力強度を参照し前記圧力強度に応じて、前記関連したデータが表示されるように前記表示部を制御することを特徴とする。
【００２８】
前記制御するステップは、前記接近がなされる位置にメニューが表示されたと判断され、前記検知結果で予め設定された最小値以下の圧力強度が出力される場合、前記メニューの下位メニューが表示されるように制御するステップであることを特徴とする。
【００２９】
前記制御するステップは、前記接近がなされる位置にメニューが表示されたと判断され、前記検知結果で予め設定された最小値より大きい圧力強度が出力される場合、前記メニューが選択されるように制御するステップであることを特徴とする。
【００３０】
前記制御するステップは、前記接近がなされる位置にメニューが表示されたと判断され、前記検知結果で前記最小値より大きい基準値より大きい圧力強度が出力される場合、前記メニューのダイレクトメニューが表示されるように制御する。
【００３１】
前記制御するステップは、前記接近がなされる位置にコンテンツが表示されたと判断され、前記検知結果で予め設定された最小値以下の圧力強度が出力される場合、前記コンテンツに対する要約画面が表示されるように制御する。
【００３２】
前記制御するステップは、前記接近がなされる位置にコンテンツが表示されたと判断され、前記検知結果で予め設定された最小値より大きい圧力強度が出力される場合、前記コンテンツが再生されるように制御するステップであることを特徴とする。
【００３３】
前記制御するステップは、前記接近がなされる位置にコンテンツのタイトルが表示されたと判断され、前記検知結果で前記最小値より大きい基準値より大きい圧力強度が出力される場合、前記コンテンツに対する制御メニューが表示されるように制御することを特徴とする。
【００３４】
前記制御するステップは、前記接近がなされる位置に前記コンテンツが再生中であると判断され、前記検知結果で前記最小値より大きい基準値より大きい圧力強度が出力される場合、前記コンテンツ再生に対する制御メニューが表示されるように制御することを特徴とする。
【００３５】
前記制御するステップは、前記接近がなされる位置にアイコンが表示されたと判断され、前記検知結果で予め設定された最小値以下の圧力強度が出力される場合、前記アイコンに対する細部情報が表示されるように制御すること及び前記アイコンが拡大されて表示されるように制御することのうち少なくとも一つを行うステップであることを特徴とする。
【００３６】
前記制御するステップは、前記接近がなされる位置にアイコンが表示されたと判断され、前記検知結果で予め設定された最小値より大きい圧力強度が出力される場合、前記アイコンに関連した動作が実行されるように制御することを特徴とする。
【００３７】
前記制御するステップは、前記接近がなされる位置にアイコンが表示されたと判断され、前記検知結果で前記最小値より大きい基準値より大きい圧力強度が出力される場合、前記アイコンに対する制御メニューが表示されるように制御することを特徴とする。
【００３８】
前記制御するステップは、前記接近がなされる位置にテキストが表示されたと判断され、前記検知結果で予め設定された最小値以下の圧力強度が出力される場合、前記テキストが拡大表示されるように制御することを特徴とする。
【００３９】
前記制御するステップは、前記接近がなされる位置にテキストが表示されたと判断され、前記検知結果で前記最小値以下の圧力強度が予め設定された基準時間以上出力される場合、前記テキストに関連した推薦単語が表示されるように制御することを特徴とする。
【００４０】
前記制御するステップは、前記接近がなされる位置にテキストが表示されたと判断され、前記検知結果で前記最小値より大きい圧力強度が出力される場合、前記テキストが入力ウィンドウに表示されるように制御することを特徴とする。
【００４１】
前記制御するステップは、前記接近がなされる位置にテキストが表示されたと判断され、前記検知結果で前記最小値より大きい基準値より大きい圧力強度が出力される場合、前記テキストに関連した推薦単語のうち、何れか一つが前記入力ウィンドウに表示されるように制御することを特徴とする。
【００４２】
そして、前記制御するステップは、前記接近がなされる位置にテキストが表示されたと判断され、前記検知結果で前記最小値より大きい基準値より大きい圧力強度が出力される場合、前記テキストに関連した推薦単語のうち、入力された圧力強度にマッピングされた順の推薦単語を前記入力ウィンドウに表示されるように制御することを特徴とする。
【発明の効果】
【００４３】
本発明の多様な実施形態によると、ユーザ命令が入力された位置に表示された客体の種類及びユーザがタッチスクリーンを操作する圧力強度に応じて、ユーザ命令を異なるように認識し、ユーザインターフェースの展開方式を変更することで、電子装置を効率良く操作できるようになる。
【図面の簡単な説明】
【００４４】
【図１】本発明の多様な実施形態に係る電子装置の概略構成を示すブロック図である。
【図２】本発明の多様な実施形態に係る電子装置に備えられたタッチスクリーンの概略構成を示す図である。
【図３】本発明の第１実施形態に係る電子装置のユーザインターフェースの展開過程を示す図である。
【図４】本発明の第１実施形態に係る電子装置のユーザインターフェースの展開過程を示す図である。
【図５】本発明の第１実施形態に係る電子装置のユーザインターフェースの展開過程を示す図である。
【図６】本発明の第２実施形態に係る電子装置のユーザインターフェースの展開過程を示す図である。
【図７】本発明の第２実施形態に係る電子装置のユーザインターフェースの展開過程を示す図である。
【図８】本発明の第２実施形態に係る電子装置のユーザインターフェースの展開過程を示す図である。
【図９】本発明の第２実施形態に係る電子装置のユーザインターフェースの展開過程を示す図である。
【図１０】本発明の第３実施形態に係る電子装置のユーザインターフェースの展開過程を示す図である。
【図１１】本発明の第３実施形態に係る電子装置のユーザインターフェースの展開過程を示す図である。
【図１２】本発明の第３実施形態に係る電子装置のユーザインターフェースの展開過程を示す図である。
【図１３】本発明の第３実施形態に係る電子装置のユーザインターフェースの展開過程を示す図である。
【図１４】本発明の第３実施形態に係る電子装置のユーザインターフェースの展開過程を示す図である。
【図１５】本発明の第４実施形態に係る電子装置のユーザインターフェースの展開過程を示す図である。
【図１６】本発明の第４実施形態に係る電子装置のユーザインターフェースの展開過程を示す図である。
【図１７】本発明の第４実施形態に係る電子装置のユーザインターフェースの展開過程を示す図である。
【図１８】本発明の第４実施形態に係る電子装置のユーザインターフェースの展開過程を示す図である。
【図１９】本発明の第５実施形態に係る電子装置のユーザインターフェースの展開過程を示す図である。
【図２０】本発明の第５実施形態に係る電子装置のユーザインターフェースの展開過程を示す図である。
【図２１】本発明の第５実施形態に係る電子装置のユーザインターフェースの展開過程を示す図である。
【図２２】本発明の第５実施形態に係る電子装置のユーザインターフェースの展開過程を示す図である。
【図２３】本発明の多様な実施形態に係る電子装置の動作を説明するためのフローチャートである。
【発明を実施するための形態】
【００４５】
以下で添付図面を参照しながら、本発明の実施形態をより詳細に説明する。
図１は、本発明の多様な実施形態に係る電子装置の概略構成を示すブロック図である。
【００４６】
図１には、携帯用の電子装置の一種であるＭＰ３（Ｍｏｖｉｎｇ  Ｐｉｃｔｕｒｅ  Ｅｘｐｅｒｔｓ  Ｇｒｏｕｐ  ｌａｙｅｒ  ３）プレイヤーの構成を例として挙げている。図１のＭＰ３プレイヤーは、保存部１１０、通信インターフェース部１２０、バックエンド部１３０、信号処理部１４０、スピーカー１５０、タッチスクリーン１６０及び制御部１７０を備える。
【００４７】
保存部１１０には、ＭＰ３プレイヤーが動作するのに必要な各種データが保存され、保存部１１０はＲＯＭ（Ｒｅａｄ  Ｏｎｌｙ  Ｍｅｍｏｒｙ）１１２、フラッシュメモリ１１４（Ｆｌａｓｈ  Ｍｅｍｏｒｙ）及びＲＡＭ（Ｒａｎｄｏｍ  Ａｃｃｅｓｓ  Ｍｅｍｏｒｙ）１１６を含む。
【００４８】
ＲＯＭ１１２には、ＭＰ３プレイヤーを制御するのに必要な制御プログラム、ＭＰ３プレイヤーを制御するのに必要な制御メニュー及びアイコンなどのように、ＭＰ３プレイヤーを制御するのに必要な各種制御データが保存される。ＲＯＭ１１２に保存された制御データは、ＭＰ３プレイヤーの電源が落ちても消えない。
【００４９】
フラッシュメモリ１１４は、大容量メモリとして、動画や停止映像のような各種コンテンツが保存される。このようなフラッシュメモリ１１４に保存されたデータは電源が落ちた状態でも消えず、ユーザの必要に応じて、保存されたコンテンツを削除したり、別のコンテンツを保存したり、コンテンツをアップデートすることができる。
【００５０】
ＲＡＭ１１６は、ＭＰ３プレイヤーが動作する間に発生するデータを一時的に保存できるスペースを提供し、ＲＡＭ１１６に保存されたデータはＭＰ３プレイヤーの電源が落ちると全てが削除される。
【００５１】
通信インターフェース部１２０は、後述の制御部１７０の制御に従って、外部機器（図示せず）とＭＰ３プレイヤー間のデータ通信を行い、ＵＳＢ（Ｕｎｉｖｅｒｓａｌ  Ｓｅｒｉａｌ  Ｂｕｓ）モジュール１２２及びチューナー１２４を含む。ＵＳＢモジュール１２２は、ＰＣ（Ｐｅｒｓｏｎａｌ  Ｃｏｍｐｕｔｅｒ）やノートパソコンのような外部装置との通信を行うための通信モジュールとして、外部装置からコンテンツなどのデータを受信し、ＭＰ３プレイヤーに保存されたコンテンツなどを外部装置に伝送する。チューナー１２４は、放送局から伝送される放送コンテンツを受信し、ＭＰ３プレイヤーを通じて放送サービスを提供されることができる。
【００５２】
バックエンド部１３０は、映像データ及び音響データをデコーディングするデコーダ１３２及びエンコーディングするエンコーダ１３４を含む。デコーダ１３２はプレッシュメモリ１１４に保存されたコンテンツや通信インターフェース部１２０を介して受信されたコンテンツをデコーディングした後、映像データ及び音響データに分離して信号処理部１４０に出力する。エンコーダ１３４は通信インターフェース部１２０を介して受信されたコンテンツを所定フォーマットにエンコーディングし、エンコーディングされたコンテンツはフラッシュメモリ１１４に保存される。
【００５３】
信号処理部１４０は、デコーダ１３２から出力される映像データ及び音響データを信号処理し、オーディオ処理部１４２及びビデオ処理部１４４を含む。オーディオ処理部１４２は、デコーダ１３２から出力されるデジタル型の音響データをアナログ型の音響信号に変換してスピーカー１５０に出力する。ビデオ処理部１４４は、デコーダ１３２から出力される映像データを表示部１６２の出力方式に合うように信号処理して出力する。
【００５４】
タッチスクリーン１６０は、表示部１６２及び検知部１６３を含む。表示部１６２は、ビデオ処理部１４４から出力される映像データを映像として表示し、制御部１７０から生成されたメニュー及びアイコンなどを表示する。検知部１６３は表示部１６２の前面に位置し、ユーザの手やタッチペンによって入力されるユーザ命令を検知して制御部１７０に伝達する。ユーザは、タッチスクリーン１６０に表示された映像を見ながら、所望の位置にユーザの手やタッチペンを接近させたり、所望の位置をタッチすることでユーザ命令を入力することができる。
【００５５】
検知部１６３はユーザの手やタッチペンが接近したり、タッチした位置を検出する位置検出部１６４及び検出された位置をタッチする圧力の強度を検出する圧力検出部１６６を含む。位置検出部１６４はユーザの手やタッチペンが接近したり、タッチした位置に対応する位置データを検出して制御部１７０に伝達する。圧力検出部１６６はユーザがタッチした位置における圧力強度に対応する圧力データを制御部１７０に伝達する。
【００５６】
制御部１７０は、検知部１６３を介して入力されたユーザ命令に従って、ＭＰ３プレイヤーの様々な機能を制御する。特に、制御部１７０は、位置検出部１６４から受信された位置データ及び圧力検出部１６６から受信された圧力データを参考にし、表示部１６２に表示されるデータを変更する。即ち、ユーザが所定位置にユーザの手やタッチペンを接近させたか、或いはタッチしたかに応じて、更に、その位置に表示された客体の種類がメニューであるか、アイコンであるか、コンテンツであると、或いはテキストであるかなどに応じて、表示部１６２に表示されるデータを変更する。ひいては、制御部１７０は、ユーザの所望の位置をどの程度の圧力でタッチしたのかに応じて、表示部１６２に表示されるデータを変更することが可能となる。
【００５７】
ここで、表示部１６２には、接近したりタッチされた客体に関連したデータが表示される。客体及び各々の客体に関連したデータは、図３ないし図２２で示す様々な実施形態で詳細に説明する。
【００５８】
図２は、本発明の多様な実施形態に係る電子装置に備えられたタッチスクリーンの概略構成を示す図である。
【００５９】
図２を参照すると、タッチスクリーン１６０は、保護ガラス１６８、位置検出部１６４、圧力検出部１６６及び表示部１６２を含む。
【００６０】
保護ガラス１６８は、外部の衝撃からタッチスクリーン１６０を保護するために備えられる。
【００６１】
位置検出部１６４は、静電容量（Ｃａｐａｃｉｔｉｖｅ  Ｏｖｅｒｌａｙ）タッチ検知センサーで実現される。ユーザの手やタッチペンがタッチスクリーン１６０に接近したり、タッチスクリーン１６０をタッチする場合、位置検出部１６４の四隅で電荷の変化を測定して当該位置を検出する。即ち、位置検出部１６４はユーザの手やタッチペンが接近したりタッチした位置に対応する位置データを制御部１７０に伝送する。
【００６２】
この際、制御部１７０は、位置データが伝送される時間を参照し、検知部１６３の検知結果がユーザ命令であるか、ユーザの意図しない接近であるかを判断することができる。即ち、検知部１６３の特定位置にユーザの手が接近するようになると、位置検出部１６４は当該位置に対応する位置データを制御部１７０に伝送する。この際、制御部１７０は位置検出部１６４から同一の位置に対する位置データが所定時間以上の間伝送されると、当該位置にユーザ命令が入力されたと判断する。これにより、ユーザの意図しない接近による入力が検知部１６３で発生することを防ぐことができる。
【００６３】
圧力検出部１６６は、押す圧力の分布が検知できる触覚センサー（Ｔａｃｔｉｌｅ  Ｓｅｎｓｏｒ）などのような圧力検知センサーで実現される。圧力検出部１６６は図２に示したように、タッチスクリーン１６０に一つ或いはそれ以上が備えられ、タッチスクリーン１６０の全体の圧力を検知することができる。ユーザの手やタッチペンがタッチスクリーン１６０を押す圧力に応じて、ユーザがタッチスクリーン１６０に手やタッチペンを接近させたか、或いはユーザがタッチスクリーン１６０をどれだけの強度でタッチしたかを判断する。
【００６４】
更に詳細に説明すると、圧力検出部１６６から検出された圧力データが第１基準値以下である場合、制御部１７０はユーザがタッチスクリーン１６０に手やタッチペンを接近されたと判断する。或いは、圧力検出部１６６が圧力を検出できる程度の圧力がタッチスクリーン１６０に加えられない場合、制御部１７０は圧力検出部１６６から圧力データを受信されることができない。この場合にも、制御部１７０はユーザがタッチスクリーン１６０に手やタッチペンを接近させたと判断する。
【００６５】
そして、圧力検出部１６６から検出された圧力データは第１基準値より大きい場合、制御部１７０はユーザがタッチスクリーン１６０をタッチしたと判断する。ひいては、圧力検出部１６６から検出された圧力データが第２基準値より大きい場合、制御部１７０はユーザがタッチスクリーン１６０に圧力を加えたと判断する。
【００６６】
ここで、第１基準値はタッチを検知できる最小値であり、第２基準値は第１基準値より大きい値である。このように、制御部１７０は圧力検出部１６６から検出された圧力データのサイズに応じて、「接近」、「タッチ」および「圧力」の３つのユーザ動作を認識することができる。そして、制御部１７０はこのような３つのユーザ動作に応じて、表示部１６２に表示されたデータを変更する。即ち、制御部１７０は位置検出部１６４から検出された位置データから当該位置に表示された客体の種類を判断し、圧力検出部１６６から検出された圧力データを参照し、当該客体に関連したデータが表示されるように表示部１６２を制御する。
【００６７】
図３ないし図５は、本発明の第１実施形態に係る電子装置のユーザインターフェースの展開過程を示した図である。
【００６８】
図３には、ユーザの手が「Ａ」メニューに接近した場合を例として示した。ユーザの手が「Ａ」メニューに接近する場合、「Ａ」メニューの下位メニューである「(1)、(2)、(3)、(4)、(5)及び(6)」メニューが表示部１６２に表示される。これについてより詳細に説明すると、位置検出部１６４はユーザの手が接近した位置に対応する位置データを制御部１７０に伝送する。この際、圧力検出部１６６が出力する圧力データは第１基準値以下であるため、制御部１７０はユーザの手が「Ａ」メニューに接近した状態であると判断する。そして、制御部１７０はユーザの手が接近した位置に表示された「Ａ」メニューの下位メニューを表示するように制御する。
【００６９】
図４には、ユーザの手が「(2)」メニューをタッチした場合を例として示した。ユーザの手が「(2)」メニューをタッチする場合、「(2)」メニューが選択される。例えば、「(2)」メニューが画面調整メニューである場合、画面の明るさや明暗が調節できるユーザインターフェースが表示部１６２に表示され、「(2)」メニューがコンテンツタイトルである場合、当該コンテンツが再生され、「(2)」メニューがアイコンである場合、アイコンに対応する機能が実行される。
【００７０】
これについてより詳細に説明すると、位置検出部１６４はユーザの手が接近した位置に対応する位置データを制御部１７０に伝送し、圧力検出部１６６は圧力データを制御部１７０に伝送する。ここで、検出された圧力データは、第１基準値より大きく、第２基準値以下であるため、制御部１７０は「(2)」メニューがタッチされたと判断する。そして、制御部１７０はユーザの手がタッチした位置に表示された「(2)」メニューを選択する。
【００７１】
図５には、ユーザの手が「(2)」メニューを第２基準値より強くタッチした場合を例として示した。ユーザの手が「(2)」メニューを第２基準値より強くタッチする場合、「(2)」メニューに関連した「ａ、ｂ、ｃ及びｄ」メニューが表示される。「ａ、ｂ、ｃ及びｄ」メニューはマウスの右ボタンをクリックした場合と同様に、状況に応じて即座に実行できるダイレクトメニューである。或いは、「(2)」メニューがコンテンツタイトルである場合、「ａ、ｂ、ｃ及びｄ」メニューは当該コンテンツを探索したり、タギング（Ｔａｇｇｉｎｇ）する機能を行う制御メニューである。或いは、「(2)」メニューがアイコンである場合、「ａ、ｂ、ｃ及びｄ」メニューは当該アイコンをコピーしたり削除する機能を行う制御メニューである。
【００７２】
図６ないし図９は、本発明の第２実施形態に係る電子装置のユーザインターフェースの展開過程を示した図である。
【００７３】
図６には、ユーザの手が「Ｃｏｎｔａｃｔｓ」メニュー２００に接近した場合を例として示した。ユーザの手が「Ｃｏｎｔａｃｔｓ」メニュー２００に接近する場合、「Ｃｏｎｔａｃｔｓ」メニュー２００の下位メニューが、図６に示されたように表示される。これについてより詳細に説明すると、位置検出部１６４はユーザの手が接近した位置に対応する位置データを制御部１７０に伝送する。この際、圧力検出部１６６が出力する圧力データは第１基準値以下であるため、制御部１７０はユーザの手が「Ｃｏｎｔａｃｔｓ」メニュー２００に接近した状態であると判断する。そして、制御部１７０はユーザの手が接近した位置に表示された「Ｃｏｎｔａｃｔｓ」メニュー２００の下位メニューを表示するように制御する。
【００７４】
図７には、ユーザの手が「Ｐｈｏｔｏ  Ｐｈｏｎｅｂｏｏｋ」メニュー２１０をタッチした場合を例として示した。ユーザの手が「Ｐｈｏｔｏ  Ｐｈｏｎｅｂｏｏｋ」メニュー２１０をタッチする場合、図８に示されたように、「Ｐｈｏｔｏ  Ｐｈｏｎｅｂｏｏｋ」メニュー２１０が選択される。
【００７５】
これについてより詳細に説明すると、位置検出部１６４はユーザの手が接近した位置に対応する位置データを制御部１７０に伝送し、圧力検出部１６６は圧力データを制御部１７０に伝送する。ここで、検出された圧力データは、第１基準値より大きく第２基準値以下であるため、制御部１７０は「Ｐｈｏｔｏ  Ｐｈｏｎｅｂｏｏｋ」メニュー２１０がタッチされたと判断する。そして、制御部１７０はユーザの手がタッチした位置に表示された「Ｐｈｏｔｏ  Ｐｈｏｎｅｂｏｏｋ」メニュー２１０を選択し、図８のように表示されるようにする。
【００７６】
図９には、ユーザの手が第１電話番号２２０に接近した場合を例として示した。ユーザの手が第１電話番号２２０に接近する場合、第１電話番号２２０に関連した細部情報が図９に示されたように表示される。これについてより詳細に説明すると、位置検出部１６４はユーザの手が接近した位置に対応する位置データを制御部１７０に伝送する。この際、圧力検出部１６６が出力する圧力データは第１基準値以下であるため、制御部１７０はユーザの手が第１電話番号２２０に接近した状態であると判断する。そして、制御部１７０はユーザの手が接近した位置に表示された第１電話番号２２０の細部情報を表示するように制御する。
【００７７】
図１０ないし図１４は、本発明の第３実施形態に係る電子装置のユーザインターフェースの展開過程を示した図である。
【００７８】
図１０には、ユーザの手が特定コンテンツ２３０に接近した場合を例として示した。ユーザの手がコンテンツ２３０に接近した場合、当該コンテンツのプレビュー画面２４０が図１０に示したように表示される。これについてより詳細に説明すると、位置検出部１６４はユーザの手が接近した位置に対応する位置データを制御部１７０に伝送する。この際、圧力検出部１６６が出力する圧力データは第１基準値以下であるため、制御部１７０はユーザの手がコンテンツ２３０に接近した状態であると判断する。そして、制御部１７０はユーザの手が接近した位置に表示されたコンテンツ２３０に関連したプレビュー画面２４０を表示するように制御する。
【００７９】
図１１には、ユーザの手が特定コンテンツ２３０をタッチした場合を例として示した。ユーザの手がコンテンツ２３０をタッチする場合、図１２に示されたように、当該コンテンツが再生される。
【００８０】
これについてより詳細に説明すると、位置検出部１６４はユーザの手が接近した位置に対応する位置データを制御部１７０に伝送し、圧力検出部１６６は圧力データを制御部１７０に伝送する。ここで、検出された圧力データは、第１基準値より大きく第２基準値以下であるため、制御部１７０はコンテンツ２３０がタッチされたと判断する。そして、制御部１７０はユーザの手がタッチした位置に表示されたコンテンツ２３０に対応するコンテンツが図１２のように再生されるようにする。
【００８１】
図１３には、ユーザの手が特定コンテンツ２３０を第２基準値より強くタッチした場合を例として示した。ユーザの手がコンテンツ２３０を第２基準値より強くタッチする場合、当該コンテンツに対する制御メニューが図１３に示されたように表示される。即ち、コンテンツ２３０に対応するコンテンツに含まれた主要場面を検索することができる「Ｓｅａｒｃｈ」メニュー及びコンテンツの内容を代表することのできる検索用のキーワードを付けることができる「Ｔａｇｇｉｎｇ」メニューなどの制御メニューが表示される。
【００８２】
図１４には、コンテンツが再生されている場合、ユーザが当該コンテンツを第２基準値より強くタッチした場合を例として示した。ユーザの手が再生中のコンテンツを第２基準値より強くタッチする場合、現在表示される場面を保存することのできる「Ｓａｖｅ」メニュー及び現在表示される場面を外部装置に伝送できる「Ｔｒａｎｓｆｅｒ」メニューなどの制御メニューが表示される。
【００８３】
図１５ないし図１８は、本発明の第４実施形態に係る電子装置のユーザインターフェースの展開過程を示した図である。
【００８４】
図１５には、ユーザの手がアイコン２６０に接近する場合を例として示した。ユーザの手がアイコン２６０に接近する場合、当該アイコンに対する細部情報が図１５に示したように表示される。これについてより詳細に説明すると、位置検出部１６４はユーザの手が接近した位置に対応する位置データを制御部１７０に伝送する。この際、圧力検出部１６６が出力する圧力データは第１基準値以下であるため、制御部１７０はユーザの手がアイコン２６０に接近した状態であると判断する。そして、制御部１７０はユーザの手が接近した位置に表示されたアイコン２６０に関連した細部情報である「画面と音」を表示するように制御する。
【００８５】
図１６には、ユーザの手がアイコン２６０をタッチした場合を例として示した。ユーザの手がアイコン２６０をタッチする場合、図１７に示されたように、当該アイコンが実行される。これについてより詳細に説明すると、位置検出部１６４はユーザの手が接近した位置に対応する位置データを制御部１７０に伝送し、圧力検出部１６６は圧力データを制御部１７０に伝送する。ここで、検出された圧力データは、第１基準値より大きく第２基準値以下であるため、制御部１７０はアイコン２６０がタッチされたと判断する。そして、制御部１７０はユーザの手がタッチした位置に表示されたアイコン２６０に対応するメニューが図１７のように再生されるようにする。
【００８６】
図１８には、ユーザの手がアイコン２７０を第２基準値より強くタッチした場合を例として示した。ユーザの手がアイコン２７０を第２基準値より強くタッチする場合、当該アイコンに対する制御メニューが図１８に示されたように表示される。即ち、アイコン２７０を別のアイコンに変更できる「変更」、アイコン２７０を削除できる「削除」、及びアイコンを外部装置に伝送できる「伝送」などの制御メニューが表示される。
【００８７】
ここで、ユーザの手がアイコン２７０を第２基準値より強くタッチする状態を維持する場合、タッチする時間に応じて、表示された制御メニューが循環して選択される。例えば、ユーザがアイコン２７０を第２基準値より強く１秒間押し続けると、「変更」が選択され、２秒間押し続けると、「削除」が選択され、３秒間押し続けると、「伝送」が選択され、４秒間押し続けると、「変更」が選択される。
【００８８】
図１９ないし図２２は、本発明の第５実施形態に係る電子装置のユーザインターフェースの展開過程を示した図である。
【００８９】
図１９及び図２０には、ユーザの手がテキスト「Ｈ」に接近した場合を例として示した。ユーザの手がテキスト「Ｈ」に接近した場合、図１９に示されたように、テキスト「Ｈ」が拡大されて表示される。そして、ユーザの手がテキスト「Ｈ」に接近した状態が継続する場合、図２０に示されたように、テキスト「Ｈ」に関連した推薦単語が表示される。図２０では、テキスト「Ｈ」で始まる単語のうち、使用頻度が高い順に上位数個を推薦単語として表示した場合を例として挙げた。
【００９０】
ここで、ユーザの意図した接近であるかを判断する時間を第１時間とし、ユーザの手がテキスト「Ｈ」に接近した状態が継続する時間を第２時間とすると、第２時間は第１時間より長い。そのため、ユーザの手がテキスト「Ｈ」に接近する場合、制御部１７０は位置データが伝送される時間が第１時間より長く、第２時間より短いと判断されると、図１９に示されたように、テキスト「Ｈ」を拡大して表示する。そして、制御部１７０は位置データが伝送される時間が第２時間より長いと判断されると、図２０に示されたように、テキスト「Ｈ」に関連した推薦単語を表示する。
【００９１】
図２１には、ユーザの手がテキスト「Ｈ」をタッチした場合を例として示した。ユーザの手がテキスト「Ｈ」をタッチする場合、図２１に示されたように、テキスト「Ｈ」が入力ウィンドウ２８０に入力される。これについてより詳細に説明すると、位置検出部１６４はユーザの手が接近した位置に対応する位置データを制御部１７０に伝送し、圧力検出部１６６は圧力データを制御部１７０に伝送する。ここで、検出された圧力データは、第１基準値より大きく第２基準値以下であるため、制御部１７０はテキスト「Ｈ」がタッチされたと判断する。そして、制御部１７０はユーザの手がタッチした位置に表示されたテキスト「Ｈ」が入力ウィンドウ２８０に表示されるようにする。
【００９２】
図２２には、ユーザの手がテキスト「Ｈ」を第２基準値より強くタッチした場合を例として示した。ユーザの手がテキスト「Ｈ」を第２基準値より強くタッチする場合、当該テキスト「Ｈ」に関連した推薦単語にうち一つが、図２２に示されたように入力ウィンドウ２８０に入力される。ここで、ユーザの手がテキスト「Ｈ」を第２基準値より強くタッチする状態を維持する場合、タッチする時間に応じて、表示された推薦単語が循環して選択され、入力ウィンドウ２８０に入力される。例えば、ユーザはテキスト「Ｈ」を第２基準値より強く１秒間押し続けると、「Ｈｙｕｎｊｉｎ」が入力され、２秒間押し続けると、「Ｈｅｅｓｕｎ」が入力され、３秒間押し続けると、「Ｈｙｕｎｊｕ」が入力され、４秒間押し続けると、「Ｈｙｕｎｊｉｎ」が選択される。
【００９３】
図２３は、本発明の多様な実施形態に係る電子装置の動作を説明するためにフローチャートである。
【００９４】
図２３によると、制御部１７０が位置検出部１６４から位置データを受信する場合（Ｓ３００）、当該位置に表示された客体の種類を確認する（Ｓ３１０）。そして、圧力検出部１６６から圧力データが受信されるか否かを判断する（Ｓ３２０−Ｙ）。ここで、圧力データが受信されなかったり（Ｓ３２０−Ｎ）、圧力強度を判断し、圧力強度が第１基準値以下であると判断されると（Ｓ３３０−Ｎ）、制御部１７０はユーザの動作を接近動作として認識する（Ｓ３５０）。
【００９５】
もし、圧力強度が第１基準値より大きく（Ｓ３３０−Ｙ）、第２基準値以下であると判断されると（Ｓ３４０−Ｙ）、制御部１７０はユーザの動作をタッチ動作として認識する（Ｓ３６０）。そして、圧力強度が第２基準値より大きいと判断されると（Ｓ３４０−Ｎ）、制御部１７０はユーザの動作を圧力動作として認識する（Ｓ３７０）。
【００９６】
制御部１７０は認識結果に応じて、客体に関連したデータを表示する（Ｓ３８０）。即ち、制御部１７０は位置データを受信し、当該位置にどの客体が表示されたかを判断し、圧力データを受信し、圧力強度に応じて客体に関連したデータが表示されるようにする。
以上のように、ユーザ命令が入力される位置及び圧力強度に応じて、ユーザインターフェースを多様な方式で展開することにより、電子装置を便利に操作することが可能となる。
【００９７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９８】
１１２  ＲＯＭ
１１４  フラッシュメモリ
１１６  ＲＡＭ
１２２  ＵＳＢモジュール
【図１】
2011530101.tif 000003
【図２】
2011530101.tif 000004
【図３】
2011530101.tif 000005
【図４】
2011530101.tif 000006
【図５】
2011530101.tif 000007
【図６】
2011530101.tif 000008
【図７】
2011530101.tif 000009
【図８】
2011530101.tif 000010
【図９】
2011530101.tif 000011
【図１０】
2011530101.tif 000012
【図１１】
2011530101.tif 000013
【図１２】
2011530101.tif 000014
【図１３】
2011530101.tif 000015
【図１４】
2011530101.tif 000016
【図１５】
2011530101.tif 000017
【図１６】
2011530101.tif 000018
【図１７】
2011530101.tif 000019
【図１８】
2011530101.tif 000020
【図１９】
2011530101.tif 000021
【図２０】
2011530101.tif 000022
【図２１】
2011530101.tif 000023
【図２２】
2011530101.tif 000024
【図２３】
2011530101.tif 000025
【国際調査報告】
2011530101.tif 000026
2011530101.tif 000027